(57)【要約】【課題】  色が与える人間心理を利用し、感情に応じて画像を補正することで同じ画像でも違った印象を与える。【解決手段】  画像補正部６が、補正パラメータ取得部５を介して取得される感情ベクトル値に対応する補正パラメータに基づき、原画像に対して、例えば、色調等の補正等を行う。このとき、補正パラメータ取得部５は、感情ベクトル値が入力された時点で対応する補正テーブルをデータベース８から取得することで、例えば、時間、温度、季節、湿度等の環境に応じて画像の補正を行うことができる。なお、文章感情認識部３が、感情辞書を参照して入力された文章情報を形態素解析して文章情報の感情ベクトル値を算出することで、感性表現を画像補正に反映させることができる。【選択図】    図１
2005235066.tif 000002
【特許請求の範囲】
【請求項１】
感情ベクトル値に応じて画像の補正を行う画像補正装置であって、
前記感情ベクトル値に応じた補正パラメータを保持する補正テーブルを記憶するデータベースと、
入力された感情ベクトル値に対応する補正パラメータを前記補正テーブルから取得する補正パラメータ取得部と、
前記取得した補正パラメータに基づいて前記画像を補正する画像補正部と、
を備えたことを特徴とする画像補正装置。
【請求項２】
前記データベースに環境データに応じて変化する前記補正テーブルを複数記憶し、前記補正パラメータ取得部は、前記感情ベクトル値が入力された時点で対応する前記補正テーブルを前記データベースから取得することを特徴とする請求項１に記載の画像補正装置。
【請求項３】
感情辞書を備え、入力された文章情報を形態素解析して文章情報の感情ベクトル値を算出し、前記補正パラメータ取得部へ供給する文章感情認識部、
を備えたことを特徴とする請求項１に記載の画像補正装置。
【請求項４】
画像記憶装置に記憶されている画像の補正を行うことを特徴とする請求項１に記載の画像補正装置。
【請求項５】
表示装置に表示されている画像の補正を行うことを特徴とする請求項１に記載の画像補正装置。
【請求項６】
感情ベクトル値に応じて画像の補正を行う画像補正方法であって、
入力された感情ベクトル値に対応する補正パラメータを、データベースに記憶の、前記感情ベクトル値に応じた補正パラメータを保持する補正テーブルから取得するステップと、
前記取得した補正パラメータに基づいて前記画像を補正するステップと、
を有することを特徴とする画像補正方法。
【請求項７】
感情ベクトル値に応じて画像の補正を行う画像補正装置のコンピュータに実行させるプログラムであって、
入力された感情ベクトル値に対応する補正パラメータを、データベースに記憶の、前記感情ベクトル値に応じた補正パラメータを保持する補正テーブルから取得する処理と、
前記取得した補正パラメータに基づいて前記画像を補正する処理と、
をコンピュータに実行させるプログラム。
【発明の詳細な説明】
【技術分野】
【０００１】
本発明は、感情ベクトル値に応じて画像の補正を行う、画像補正装置および方法ならびにプログラムに関する。
【背景技術】
【０００２】
「シャープな感じ」、「やわらかい感じ」等の感性表現によって示される画像処理内容によって画像データに対して画像処理を施す画像処理装置が提案されている（例えば、特許文献１参照）。
【特許文献１】特開２０００−２４４７２２号公報
【発明の開示】
【発明が解決しようとする課題】
【０００３】
特許文献１に開示された技術によれば、例えば、モニタは発光表示媒体であり、プリンタは反射表示媒体であることから観察者によって印象が異なった印象を与えることがないように、感性表現に応じて画像処理を行い表示や印刷等が可能である。ここで、対象となる画像はラボや自宅ＰＣへ出力（画像転送）される。
【０００４】
ところで、上記した特許文献１には、感情に応じて画像の色調を補正する技術については開示されていない。周知のように、色はその種類によって「癒し」や「元気づけ」を行う作用があり、例えば、自宅に飾られているフラットパネルディスプレイに表示された絵画を感情によって画像補正を行い、例えば、色調を変化させることができれば、住む人にその時々によって同じ絵画であっても違った印象を与えることができ、「癒し」を得、あるいは「元気付けられる」ことになる。
【０００５】
本発明は上記事情に鑑みてなされたものであり、色が与える人間心理を利用し、感情に応じて画像を補正することで同じ画像でも違った印象を与えることのできる、画像補正装置および方法ならびにプログラムを提供することを目的とする。
【課題を解決するための手段】
【０００６】
上記した課題を解決するために本発明は、感情ベクトル値に応じて画像の補正を行う画像補正装置であって、前記感情ベクトル値に応じた補正パラメータを保持する補正テーブルを記憶するデータベースと、入力された感情ベクトル値に対応する補正パラメータを前記補正テーブルから取得する補正パラメータ取得部と、前記取得した補正パラメータに基づいて前記画像を補正する画像補正部とを備えたことを特徴とする。
【０００７】
本発明によれば、画像補正部が、補正パラメータ取得部を介して取得される感情ベクトル値に対応する補正パラメータに基づき、原画像に対して、例えば、マスク合成、コントラスト補正、γ補正等を施すことで、同じ画像でも与える印象の変更が可能となり、そのときの心理状態によって、例えば、「癒し」を得、あるいは「元気付けられる」ことが可能になる。
【０００８】
また、本発明において、前記データベースに環境データに応じて変化する前記補正テーブルを複数記憶し、前記補正パラメータ取得部は、前記感情ベクトル値が入力された時点で対応する前記補正テーブルを前記データベースから取得することを特徴とする。
【０００９】
本発明によれば、補正パラメータ取得部が、感情ベクトル値が入力された時点で対応する補正テーブルをデータベースから取得することで、例えば、時間、温度、季節、湿度等の環境に応じて画像の補正が可能になる。
【００１０】
また、本発明において、感情辞書を備え、入力された文章情報を形態素解析して文章情報の感情ベクトル値を算出し、前記補正パラメータ取得部へ供給する文章感情認識部、を備えたことを特徴とする。
【００１１】
本発明によれば、文章感情認識部が感情辞書を参照して入力された文章情報を形態素解析して文章情報の感情ベクトル値を算出することで、感性表現を画像補正に反映させることができる。
【００１２】
また、本発明において、画像記憶装置に記憶されている画像の補正を行うことを特徴とする。
本発明によれば、画像記憶装置に複数の画像を記憶することで選択した画像の感性表現が可能になる。
【００１３】
また、本発明において、表示装置に表示されている画像の補正を行うことを特徴とする。
本発明によれば、表示装置に表示されている画像に関し、リアルタイムでの感性表現が可能になる。
【００１４】
上記した課題を解決するために本発明は、感情ベクトル値に応じて画像の補正を行う画像補正方法であって、入力された感情ベクトル値に対応する補正パラメータを、データベースに記憶の、前記感情ベクトル値に応じた補正パラメータを保持する補正テーブルから取得するステップと、前記取得した補正パラメータに基づいて前記画像を補正するステップとを有することを特徴とする。
【００１５】
上記した課題を解決するために本発明は、感情ベクトル値に応じて画像の補正を行う画像補正装置のコンピュータに実行させるプログラムであって、入力された感情ベクトル値に対応する補正パラメータを、データベースに記憶の、前記感情ベクトル値に応じた補正パラメータを保持する補正テーブルから取得する処理と、前記取得した補正パラメータに基づいて前記画像を補正する処理とをコンピュータに実行させることを特徴とする。
【発明を実施するための最良の形態】
【００１６】
以下、図面を使用して本発明実施形態について詳細に説明する。図１は、本発明の画像補正装置の構成を示すブロック図である。
ここでは、画像補正装置として、図７にその一例が示されるように、電子ペーパ９に音声入力装置１としてのマイクが付属する構成から成る製品を想定し、電子ペーパ９には、部屋の壁に取り付けられる絵画を表示するものとして説明する。上記した画像補正装置は、音声入力装置１と、音声認識部２と、文章感情認識部３と、形態素解析辞書および感情辞書が格納されるデータベース４と、色調補正パラメータ取得部５と、画像補正部６と、画像データベース７と、感情−色調補正テーブル８と、電子ペーパ９で構成される。
【００１７】
音声入力装置１は、例えば、部屋に居る人の音声を取込んで音声認識部２へ供給し、音声認識部２は、取込まれた音声をテキストに変換して文章感情認識部３へ供給する。文章感情認識部３は、形態素解析辞書および感情辞書が格納されたデータベース４（ＤＢ）を参照して入力された文章情報を形態素解析すると共に、文章情報の感情ベクトル値を算出し、その感情ベクトル値を色調補正パラメータ取得部５へ供給する。
【００１８】
色調補正パラメータ取得部５は、感情ベクトル値に応じた補正パラメータが示される感情−色調補正テーブル（ＴＢＬ）が格納されるデータベース８を参照し、ここで、入力された感情ベクトル値に対応する感情−色調補正パラメータをデータベース８から取得して画像補正部６へ供給する。なお、データベース８には、環境データに応じて変化する感情−色調補正ＴＢＬが複数記憶されており、色調補正パラメータ取得部５は、感情ベクトル値が入力された時点で対応する感情−色調補正ＴＢＬをデータベース８から取得する。
【００１９】
画像補正部６は、取得した感情−色調補正パラメータに基づいて画像ＤＢ７に格納された、あるいは電子ペーパ９に表示されている画像を、例えば、マスク合成、コントラストのレベル補正、その他色差補正等により補正し、ここで補正された画像を電子ペーパ９に供給する。
【００２０】
図２に、形態素解析辞書および感情辞書が格納されるデータベース４のデータ構造の一例が示されている。
図２に示されるように、データベース４には、単語毎、その品詞とその感情ベクトル値が対応づけられて記憶されている。この感情ベクトル値は、喜怒値、哀楽値の各値から成るものであり、これら値によって図３に示される感情表現空間におけるベクトル値が定まる。
【００２１】
図３は、感情−色調補正ＴＢＬが格納されるデータベース８のデータ構造の一例を示す図であり、ここでは、感情表現空間上に色調補正パラメータ（マスク：白１０％、ガンマ：１．２５等）がマッピングされ示されている。
感情表現空間は、喜怒軸、哀楽軸によって構成される空間であり、データベース４に格納された単語とその感情ベクトル値によって、各単語の感情表現空間でのベクトルおよび対応する色調補正パラメータが決る。
【００２２】
図４は、時間帯と色調補正ＴＢＬとの対応関係を説明するために引用した図である。ここでは、環境データとして、例えば時間帯が使用され、色調補正パラメータ取得部５は、感情ベクトル値が入力された時間に応じてデータベース８から該当する色調補正ＴＢＬを選択する。
ここで選択された色調補正ＴＢＬによって感情ベクトル値に対応する領域の補正パラメータ、例えば、「マスク：紫５０％」が画像補正部６へ供給される。環境データとして、他に、温度、季節、湿度等が使用される。
【００２３】
図５、図６は本発明実施形態の動作を説明するために引用したフローチャートであり、文章感情認識処理、色調補正処理のそれぞれを示す。図５、図６は、本発明のプログラムの処理手順も示している。
以下、図５、図６に示すフローチャートを参照しながら図１〜図４に示す本発明実施形態の動作について詳細に説明する。
【００２４】
図５に示すフローチャートにおいて、まず、音声入力装置１を介して取込まれた音声情報は音声認識部２へ供給され、ここで音声認識が行われる。音声認識の結果テキスト変換されたデータ（文章）は、文章感情認識部３に供給される。
文章感情認識部３は、データベース４（形態素解析辞書）を参照して入力文章の形態素解析を行い、入力文章に含まれる各単語を抽出する（Ｓ５１）。続いて、文章感情認識部３は、抽出した単語を一個ずつ取出し（Ｓ５２）、各単語の感情ベクトル値を同じくデータベース４（感情辞書）から読み取る（Ｓ５３）。そして、文章感情認識部３は、読み取った感情ベクトル値をあらかじめ記憶しているＮｕｌｌ値に加算する。
【００２５】
更に、文章感情認識部３は、入力文章に含まれる単語の感情ベクトル値をデータベース４から順次読み取ったか否かを判断し（Ｓ５４）、読み取った全ての感情ベクトル値を順次加算する（Ｓ５５）。
上記の処理を全ての単語分繰り返した後（Ｓ５６）、文章感情認識部３は、算出した入力文章の感情ベクトル値を色調補正パラメータ取得部５へ送信する（Ｓ５７）。
【００２６】
図８において、色調補正パラメータ取得部５は、入力文章の感情ベクトル値と時間帯等の環境データを入力として得、データベース８に格納されている感情−色調補正ＴＢＬを選択する（Ｓ６１）。
例えば、部屋に居る人が「今日は疲れた。具合が悪いよ。」と話した場合、この会話から文章感情認識部３が、（喜怒、哀楽）＝（−０．１，−０．７）の感情ベクトル値を出力し、色調補正パラメータ取得部５に供給したとする。このとき、色調補正パラメータ取得部５は、感情ベクトル値が入力された時間帯に応じて図４に示すデータベース８から感情−色調補正ＴＢＬ＃１を選択する。
【００２７】
続いて、色調補正パラメータ取得部５は、感情−色調補正ＴＢＬ＃１を用いて感情ベクトル値に対応する領域を見つけ、ここで、該当する感情−色調補正パラメータ「マスク：ピンク５０％」を取得して画像補正部６へ供給する（Ｓ６２）。
画像補正部６は、電子ペーパ９に表示されている、もしくは画像ＤＢ７に格納された選択画像に対し、透明度５０％のピンク色をマスク合成して色調補正画像を生成し、電子ペーパ９に表示する。つまり、画像補正部６は、コントラストのレベル補正、その他色差補正、γ補正等を行なう（Ｓ６３）。図７（ａ）に、補正前の電子ペーパ９に表示された画像が、図７（ｂ）に、色調補正後のマスク合成された画像の一例が示されている。
【００２８】
なお、部屋に居る人が上記のようにして補正され電子ペーパ９に表示された画像を視認して気に入らなかった場合、例えば、音声入力装置１（マイク）近傍に設置されたスイッチ等（図示せず）により再補正を指示し（Ｓ６４）、この場合、Ｓ６２以降の処理が繰り返され、このことにより、気に入った色調が反映された画像を得ることができる。
【００２９】
以上説明のように本発明は、感情ベクトル値に対応する補正パラメータに基づき、原画像に対して、例えば、マスク合成、コントラスト補正、γ補正等を施し、その時々によって気に入った画像を得るものであり、このことにより、同じ画像でも与える印象の変更を可能とし、見る人は、そのときの心理状態によって「癒し」を得、あるいは「元気付け」のための動機付けが得られることになる。
また、環境データに応じて変化する補正テーブルを複数記憶し、感情ベクトル値が入力された時点で対応する補正テーブルをデータベースから取得することで、例えば、時間、温度、季節、湿度等の環境に応じて画像の補正を可能とする。更に、感情辞書を参照して入力された文章情報を形態素解析して文章情報の感情ベクトル値を算出することで、感性表現を画像補正に反映させるものである。
【００３０】
なお、上記した本発明実施形態では、電子ペーパ９を部屋の壁に飾る絵画を表示する表示デバイスとして用いたが、他に、液晶、プラズマ、有機ＥＬ等を用いても良く、また、絵画のみならず、ポスターや写真等、色調等画像を補正したときに、色の作用によって人に対して「癒し」や「やる気」を出させる等、動機付けを与えるものであればなんでも良い。
また、図１に示す音声認識部２、文章感情認識部３、色調補正パラメータ取得部５、画像補正部６のそれぞれで実行される手順をコンピュータ読み取り可能な記録媒体に記録し、この記録媒体に記録されたプログラムをコンピュータシステムに読み込ませ、実行することによって本発明を実現するものである。ここでいうコンピュータシステムとは、ＯＳや周辺機器等のハードウェアを含む。
【００３１】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３２】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３３】
【図１】本発明実施形態を示すブロック図である。
【図２】データベース４のデータ構造の一例を示す図である。
【図３】データベース８のデータ構造の一例を示す図である。
【図４】環境データとテーブルとの関係を示す図である。
【図５】本発明実施形態の動作を示すフローチャートである。
【図６】本発明実施形態の動作を示すフローチャートである。
【図７】表示デバイスに表示される画像の一例を示す図である。
【符号の説明】
【００３４】
１…音声入力装置、２…音声認識部、３…文章感情認識部、４…データベース（形態素解析辞書＋感情辞書）、５…色調補正パラメータ取得部、６…画像補正部、７…画像データベース、８…感情−色調補正テーブル、９…電子ペーパ
【図１】
2005235066.tif 000003
【図２】
2005235066.tif 000004
【図３】
2005235066.tif 000005
【図４】
2005235066.tif 000006
【図５】
2005235066.tif 000007
【図６】
2005235066.tif 000008
【図７】
2005235066.tif 000009